【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
ポリ塩化ビフェニルで汚染されたＰＣＢ汚染変圧器にポリ塩化ビフェニルを含有していない、あるいはポリ塩化ビフェニルの含有濃度が規制（基準）範囲内である油を注入して循環洗浄するＰＣＢ汚染変圧器の洗浄方法において、前記注入された油の温度が４０〜９０℃となるように該油を加熱する加熱工程を含むことを特徴とするＰＣＢ汚染変圧器の洗浄方法。
【請求項２】
油の循環流速は、２．０〜３．０（ｍＬ／ｍｉｎ）である請求項１に記載のＰＣＢ汚染変圧器の洗浄方法。
【請求項３】
ポリ塩化ビフェニルで汚染されたＰＣＢ汚染変圧器にポリ塩化ビフェニルを含有していない、あるいはポリ塩化ビフェニルの含有濃度が規制（基準）範囲内である油を注入し、放置するＰＣＢ汚染変圧器の洗浄方法において、前記注入された油の温度が４０〜９０℃となるように該油を加熱する加熱工程を含むことを特徴とするＰＣＢ汚染変圧器の洗浄方法。
【請求項４】
加熱によって注入された油の粘度を低下させ、変圧器を構成する変圧器容器内壁及び内部部材に付着あるいは浸透したＰＣＢ自身、またはＰＣＢを含む汚染油と、注入された油との交換を促す請求項１から３のいずれかに記載のＰＣＢ汚染変圧器の洗浄方法。
【請求項５】
加熱工程における油の昇温速度は、６〜８（℃／ｈ）である請求項１から４のいずれかに記載のＰＣＢ汚染変圧器の洗浄方法。
【請求項６】
さらに、注入された油の温度が３０〜４０℃となるように温調する温調工程を含む請求項１から５のいずれかに記載のＰＣＢ汚染変圧器の洗浄方法。
【請求項７】
注入される油として、燃料油、潤滑油、食用油などに用いられる天然油、鉱油、又は合成油を使用する請求項１から６のいずれかに記載のＰＣＢ汚染変圧器の洗浄方法。
【請求項８】
変圧器は、リアクトル、コンデンサを含む請求項１から７のいずれかに記載のＰＣＢ汚染変圧器の洗浄方法。
【請求項９】
ポリ塩化ビフェニルを含有していない、あるいはポリ塩化ビフェニルの含有濃度が規制（基準）範囲内である油を、ポリ塩化ビフェニルで汚染されたＰＣＢ汚染変圧器内で循環させて、該ＰＣＢ汚染変圧器を洗浄するＰＣＢ汚染変圧器の洗浄装置において、前記油の温度が４０〜９０℃となるように該油を加熱する加熱手段を備えることを特徴とするＰＣＢ汚染変圧器の洗浄装置。
【請求項１０】
油の循環流速は、２．０〜３．０（ｍＬ／ｍｉｎ）である請求項９に記載のＰＣＢ汚染変圧器の洗浄装置。
【請求項１１】
ポリ塩化ビフェニルを含有していない、あるいはポリ塩化ビフェニルの含有濃度が規制（基準）範囲内である油を、ポリ塩化ビフェニルで汚染されたＰＣＢ汚染変圧器内に放置して、該ＰＣＢ汚染変圧器を洗浄するＰＣＢ汚染変圧器の洗浄装置において、前記油の温度が４０〜９０℃となるように該油を加熱する加熱手段を備えることを特徴とするＰＣＢ汚染変圧器の洗浄装置。
【請求項１２】
加熱によって油の粘度を低下させ、変圧器を構成する変圧器容器内壁及び内部部材に付着あるいは浸透したＰＣＢ自身、またはＰＣＢを含む汚染油と、循環乃至放置された油との交換を促す請求項９から１１のいずれかに記載のＰＣＢ汚染変圧器の洗浄装置。
【請求項１３】
加熱手段により加熱された油の昇温速度は、６〜８（℃／ｈ）である請求項９から１２のいずれかに記載のＰＣＢ汚染変圧器の洗浄装置。
【請求項１４】
さらに、油の温度が３０〜４０℃となるように温調する温調手段を含む請求項９から１３のいずれかに記載のＰＣＢ汚染変圧器の洗浄装置。
【請求項１５】
循環乃至放置された油が、燃料油、潤滑油、食用油などに用いられる天然油、鉱油、又は合成油である請求項９から１４のいずれかに記載のＰＣＢ汚染変圧器の洗浄装置。
【請求項１６】
変圧器は、リアクトル、コンデンサを含む請求項９から１５のいずれかに記載のＰＣＢ汚染変圧器の洗浄装置。
【手続補正２】
【補正対象書類名】明細書
【補正対象項目名】発明の名称
【補正方法】変更
【補正の内容】
【発明の名称】ＰＣＢ汚染変圧器の洗浄方法及び洗浄装置
【手続補正３】
【補正対象書類名】明細書
【補正対象項目名】０００１
【補正方法】変更
【補正の内容】
【０００１】
本発明は、ポリ塩化ビフェニル（ＰＣＢ）を含有する油を使用した変圧器を洗浄するＰＣＢ汚染変圧器の洗浄方法及び洗浄装置に関し、特に、ＰＣＢを含有する油が封入された変圧器からＰＣＢ汚染油を抜油し、ＰＣＢを含有していない、あるいはポリ塩化ビフェニルの含有濃度が規制（基準）範囲内である油を注入して循環あるいは放置させることで、変圧器の内壁及び内部部材に付着あるいは浸透したＰＣＢを洗浄するＰＣＢ汚染変圧器の洗浄方法及び洗浄装置に関する。
【手続補正４】
【補正対象書類名】明細書
【補正対象項目名】０００６
【補正方法】変更
【補正の内容】
【０００６】
本発明は、かかる現状に鑑みてなされたものであり、従来における前記諸問題を解決し、以下の目的を達成することを課題とする。即ち、本発明は、ＰＣＢで汚染された変圧器を効率的に洗浄することができると共に、洗浄の際の発火を抑制することができるＰＣＢ汚染変圧器の洗浄方法及び洗浄装置を提供することを目的とする。
【手続補正５】
【補正対象書類名】明細書
【補正対象項目名】０００８
【補正方法】変更
【補正の内容】
【０００８】
本発明は、本発明者による前記知見に基づくものであり、前記課題を解決するための手段としては、以下の通りである。即ち、
＜１＞  ポリ塩化ビフェニルで汚染されたＰＣＢ汚染変圧器にポリ塩化ビフェニルを含有していない、あるいはポリ塩化ビフェニルの含有濃度が規制（基準）範囲内である油を注入して循環洗浄するＰＣＢ汚染変圧器の洗浄方法において、前記注入された油の温度が４０〜９０℃となるように該油を加熱する加熱工程を含むことを特徴とするＰＣＢ汚染変圧器の洗浄方法である。
該＜１＞においては、注入された油の温度が４０〜９０℃となるように該油が加熱されるので、ＰＣＢで汚染された変圧器を効率的に洗浄することができると共に、洗浄の際の発火を抑制することができる。
＜２＞  油の循環流速は、２．０〜３．０（ｍＬ／ｍｉｎ）である前記＜１＞に記載のＰＣＢ汚染変圧器の洗浄方法である。
＜３＞  ポリ塩化ビフェニルで汚染されたＰＣＢ汚染変圧器にポリ塩化ビフェニルを含有していない、あるいはポリ塩化ビフェニルの含有濃度が規制（基準）範囲内である油を注入し、放置するＰＣＢ汚染変圧器の洗浄方法において、前記注入された油の温度が４０〜９０℃となるように該油を加熱する加熱工程を含むことを特徴とするＰＣＢ汚染変圧器の洗浄方法である。
該＜３＞においては、注入された油の温度が４０〜９０℃となるように該油が加熱されるので、ＰＣＢで汚染された変圧器を効率的に洗浄することができると共に、洗浄の際の発火を抑制することができる。
＜４＞  加熱によって注入された油の粘度を低下させ、変圧器を構成する変圧器容器内壁及び内部部材に付着あるいは浸透したＰＣＢ自身、またはＰＣＢを含む汚染油と、注入された油との交換を促す前記＜１＞から＜３＞のいずれかに記載のＰＣＢ汚染変圧器の洗浄方法である。
＜５＞  加熱工程における油の昇温速度は、６〜８（℃／ｈ）である前記＜１＞から＜４＞のいずれかに記載のＰＣＢ汚染変圧器の洗浄方法である。
＜６＞  さらに、注入された油の温度が３０〜４０℃となるように温調する温調工程を含む前記＜１＞から＜５＞のいずれかに記載のＰＣＢ汚染変圧器の洗浄方法である。
＜７＞  注入される油として、燃料油、潤滑油、食用油などに用いられる天然油、鉱油、又は合成油を使用する前記＜１＞から＜６＞のいずれかに記載のＰＣＢ汚染変圧器の洗浄方法である。
＜８＞  変圧器は、リアクトル、コンデンサを含む前記＜１＞から＜７＞のいずれかに記載のＰＣＢ汚染変圧器の洗浄方法である。
＜９＞  ポリ塩化ビフェニルを含有していない、あるいはポリ塩化ビフェニルの含有濃度が規制（基準）範囲内である油を、ポリ塩化ビフェニルで汚染されたＰＣＢ汚染変圧器内で循環させて、該ＰＣＢ汚染変圧器を洗浄するＰＣＢ汚染変圧器の洗浄装置において、前記油の温度が４０〜９０℃となるように該油を加熱する加熱手段を備えることを特徴とするＰＣＢ汚染変圧器の洗浄装置である。
＜１０＞  油の循環流速は、２．０〜３．０（ｍＬ／ｍｉｎ）である前記＜９＞に記載のＰＣＢ汚染変圧器の洗浄装置である。
＜１１＞  ポリ塩化ビフェニルを含有していない、あるいはポリ塩化ビフェニルの含有濃度が規制（基準）範囲内である油を、ポリ塩化ビフェニルで汚染されたＰＣＢ汚染変圧器内に放置して、該ＰＣＢ汚染変圧器を洗浄するＰＣＢ汚染変圧器の洗浄装置において、前記油の温度が４０〜９０℃となるように該油を加熱する加熱手段を備えることを特徴とするＰＣＢ汚染変圧器の洗浄装置である。
＜１２＞  加熱によって油の粘度を低下させ、変圧器を構成する変圧器容器内壁及び内部部材に付着あるいは浸透したＰＣＢ自身、またはＰＣＢを含む汚染油と、循環乃至放置された油との交換を促す前記＜９＞から＜１１＞のいずれかに記載のＰＣＢ汚染変圧器の洗浄装置である。
＜１３＞  加熱手段により加熱された油の昇温速度は、６〜８（℃／ｈ）である前記＜９＞から＜１２＞のいずれかに記載のＰＣＢ汚染変圧器の洗浄装置である。
＜１４＞  さらに、油の温度が３０〜４０℃となるように温調する温調手段を含む前記＜９＞から＜１３＞のいずれかに記載のＰＣＢ汚染変圧器の洗浄装置である。
＜１５＞  循環乃至放置された油が、燃料油、潤滑油、食用油などに用いられる天然油、鉱油、又は合成油である前記＜９＞から＜１４＞のいずれかに記載のＰＣＢ汚染変圧器の洗浄装置である。
＜１６＞  変圧器は、リアクトル、コンデンサを含む前記＜９＞から＜１５＞のいずれかに記載のＰＣＢ汚染変圧器の洗浄装置である。
【手続補正６】
【補正対象書類名】明細書
【補正対象項目名】０００９
【補正方法】変更
【補正の内容】
【０００９】
本発明によると、ＰＣＢで汚染された変圧器を効率的に洗浄することができると共に、洗浄の際の発火を抑制することができるＰＣＢ汚染変圧器の洗浄方法及び洗浄装置を提供することができる。